(57)【要約】【課題】  移動体通信端末に接続されているＵＳＢメモリ又は入出力デバイスが、相互に異なる排他的な接続モジュールを必要とせずに、移動体通信端末に備えられた単一の接続モジュールに選択的に接続することが可能である移動体通信端末用の接続モジュールを提供する。【解決手段】  接続モジュールは、移動体通信端末に接続されるユニバーサルシリアルバス（ＵＳＢ）メモリ又は入出力デバイスが、相互に異なる排他的な接続モジュールを必要とせずに、移動体通信端末に備えられた単一の接続モジュールに選択的に接続することが可能である。この接続モジュールは、ＵＳＢメモリ又は入出力デバイスが接続される移動体通信端末に用いられる接続モジュールであって、ケースと、前記ケースに異なる高さに配置され、異なる長さを有し、それぞれがＵＳＢメモリのみ又は入出力デバイスのみに接続される、複数の接続端子部材とを備えている。【選択図】        図１
2008301492.tif 000002
【特許請求の範囲】
【請求項１】
ユニバーサルシリアルバス（ＵＳＢ）メモリ又は入出力デバイスが接続される移動体通信端末に用いられる接続モジュールにおいて、
ケースと、
前記ケースに異なる高さに配置され、異なる長さを有し、それぞれがＵＳＢメモリのみ又は入出力デバイスのみに接続される、複数の接続端子部材とを備えたことを特徴とする接続モジュール。
【請求項２】
前記ケースが、前記ＵＳＢメモリ又は前記入出力デバイスの挿入時に前記ＵＳＢメモリ又は前記入出力デバイスに形成された保持ボスを保持するための保持開口が一端部の近くの位置に形成されたガイドケースと、前記接続端子部材を有し、前記ガイドケースの他端部から前記ガイドケースに挿入されるときに固着構造により前記ガイドケースと固着結合する接続端子ケースとを備えたことを特徴とする請求項１記載の接続モジュール。
【請求項３】
前記固着構造が、前記ガイドケースに形成された固着部片と前記接続端子ケースの該固着部片に対応する位置に形成された固着凹部とを備えたことを特徴とする請求項２記載の接続モジュール。
【請求項４】
前記接続端子部材が、前記ＵＳＢメモリの前記接続端子との接続のための、前記接続端子ケースに受けられるＵＳＢメモリ接続端子部材と、前記入出力デバイスの前記接続端子との接続のための、前記ＵＳＢメモリ接続端子部材の下に配置されるように前記接続端子ケースに固着挿入された入出力デバイス接続端子部材とを含むことを特徴とする請求項１又は２記載の接続モジュール。
【請求項５】
前記ＵＳＢメモリ接続端子部材が、前記接続端子ケースの上部に配置され、前記ＵＳＢメモリ接続端子部材の一方側から他方側に向かって挿入される複数のＵＳＢメモリ接続端子を備え、
前記ＵＳＢメモリ接続端子のそれぞれが、一端部に形成され開口底面を有する接続部と、他端部に形成され、前記接続部から横に広がり、前記接続端子ケースのいずれかの横側から後方に突出する結合部とを備えたことを特徴とする請求項４記載の接続モジュール。
【請求項６】
前記入出力デバイス接続端子部材が、前記ＵＳＢメモリ接続端子部材の下に、前記接続端子ケースに形成された複数の挿入口に固着挿入されるように構成され、それぞれが保持構造により対応する前記挿入口に固く保持される複数の入出力デバイス接続端子を備え、
各入出力デバイス接続端子が、各ＵＳＢメモリ接続端子よりも短いものであって、各入出力デバイス接続端子の一端部が前記入出力デバイスの前記接続端子とのみ接続されるように前記ＵＳＢメモリ接続端子の対応する端部から離れ、前記入出力デバイス接続端子と前記ＵＳＢメモリ接続端子との他端部が同一線上に配置されるものであることを特徴とする請求項４記載の接続モジュール。
【請求項７】
前記保持構造が、前記入出力デバイス接続端子に形成された保持凸部と、前記挿入口の該保持凸部に対応する位置に形成された保持凹部とを備えたことを特徴とする請求項６記載の接続モジュール。
【発明の詳細な説明】
【技術分野】
【０００１】
本発明は、移動体通信端末用接続モジュール、特に、移動体通信端末に接続されるユニバーサルシリアルバス（ＵＳＢ）メモリ又は入出力デバイスが、相互に異なる排他的な接続モジュールを必要とせずに、移動体通信端末に備えられた単一の接続モジュールに選択的に接続することが可能である移動体通信端末用の接続モジュールに関する。
【背景技術】
【０００２】
初期の移動体通信端末は、単純な対話の目的だけのために用いられていた。しかし、現在の技術開発の状況において、様々なコンテンツが、移動体通信端末によりアクセス可能であり、移動体通信端末を様々な目的に使用することを可能としている。例えば、単純な対話機能に加えて、移動体通信端末は、クレジットカード支払方法を可能にする個人情報記憶媒体、ＭＰ３プレーヤ、カメラ、ゲームマシン、モバイル映像メモリ媒体およびテレビ電話などの新規な機能に、日々適合するようにされている。
【０００３】
上記の移動体通信端末は、上記のさまざまな追加機能を考慮して、複数の接続ポートおよびそれらの接続ポートに対応する接続モジュールのさまざまな形状を備えている必要がある。これらの接続モジュールのうち、特に、最近人気が上昇し場合に応じて移動体通信端末に接続される、ＵＳＢメモリ又は、イヤホン、リモートコントローラ、ＴＶなどからの信号をインターフェースするために用いられる入出力デバイスと共に移動体通信端末を使用できるようにするために、最近の移動体通信端末は、ＵＳＢメモリや入出力デバイスに対応する接続モジュールが備えられている。
【発明の開示】
【発明が解決しようとする課題】
【０００４】
しかし、従来の移動体通信端末の場合、ＵＳＢメモリ接続モジュールと入出力デバイス接続モジュールとの双方を備える必要があるので、移動体通信端末の小型化を制限することになり、より軽薄短小な移動体通信端末のトレンドと矛盾する。結果として、接続モジュールの取付けスペースの制限により、より軽薄短小な移動体通信端末の製作を困難なものとしている。
【０００５】
上記事情に鑑み、本発明は、移動体通信端末に接続されているＵＳＢメモリ又は入出力デバイスが、相互に異なる排他的な接続モジュールを必要とせずに、移動体通信端末に備えられた単一の接続モジュールに選択的に接続することが可能である移動体通信端末用の接続モジュールを提供することを目的とする。
【０００６】
さらに、単一のケースを構成するガイドケースおよび接続端子ケースが容易にそして簡単に結合することができる移動体通信端末用接続モジュールを提供することを目的とする。
【０００７】
さらに、入出力デバイスの端子が接続モジュールの接続端子ケースに固く結合し固着可能な移動体通信端末用の接続モジュールを提供することを目的とする。
【課題を解決するための手段】
【０００８】
本発明によれば、上記の目的は、ユニバーサルシリアルバス（ＵＳＢ）メモリ又は入出力デバイスが接続される移動体通信端末に用いられる接続モジュールにおいて、ケースと、前記ケースに異なる高さに配置され、異なる長さを有し、それぞれがＵＳＢメモリのみ又は入出力デバイスのみに接続される、複数の接続端子部材とを備えたことを特徴とする接続モジュールの提供により達成される。
【０００９】
前記ケースは、前記ＵＳＢメモリ又は前記入出力デバイスの挿入時に前記ＵＳＢメモリ又は前記入出力デバイスに形成された保持ボスを保持するための保持開口が一端部の近くの位置に形成されたガイドケースと、前記接続端子部材を有し、前記ガイドケースの他端部から前記ガイドケースに挿入されるときに固着構造により前記ガイドケースと固着結合する接続端子ケースとを備えてもよい。
【００１０】
前記固着構造は、前記ガイドケースに形成された固着部片と前記接続端子ケースの該固着部片に対応する位置に形成された固着凹部とを備えてもよい。
【００１１】
前記接続端子部材は、前記ＵＳＢメモリの前記接続端子との接続のための、前記接続端子ケースに受けられるＵＳＢメモリ接続端子部材と、前記入出力デバイスの前記接続端子との接続のための、前記ＵＳＢメモリ接続端子部材の下に配置されるように前記接続端子ケースに固着挿入された入出力デバイス接続端子部材とを含んでもよい。
【００１２】
前記ＵＳＢメモリ接続端子部材は、前記接続端子ケースの上部に配置され、前記ＵＳＢメモリ接続端子部材の一方側から他方側に向かって挿入される複数のＵＳＢメモリ接続端子を備え、前記ＵＳＢメモリ接続端子のそれぞれが、一端部に形成され開口底面を有する接続部と、他端部に形成され、前記接続部から横に広がり、前記接続端子ケースのいずれかの横側から後方に突出する結合部とを備えてもよい。
【００１３】
前記入出力デバイス接続端子部材は、前記ＵＳＢメモリ接続端子部材の下に、前記接続端子ケースに形成された複数の挿入口に固着挿入されるように構成され、それぞれが保持構造により対応する前記挿入口に固く保持される複数の入出力デバイス接続端子を備え、  各入出力デバイス接続端子が、各ＵＳＢメモリ接続端子よりも短いものであって、各入出力デバイス接続端子の一端部が前記入出力デバイスの前記接続端子とのみ接続されるように前記ＵＳＢメモリ接続端子の対応する端部から離れ、前記入出力デバイス接続端子と前記ＵＳＢメモリ接続端子との他端部が同一線上に配置されるものであってもよい。
【００１４】
前記保持構造は、前記入出力デバイス接続端子に形成された保持凸部と、前記挿入口の該保持凸部に対応する位置に形成された保持凹部とを備えてもよい。
【発明を実施するための最良の形態】
【００１５】
以下図面を参照して本発明の実施の形態を説明する。
【００１６】
図１は、本発明による移動体通信端末用の接続モジュールの主要部分を示す概略分解斜視図である
図２は、図ｌに示された主要部分が組立てられた状態を示す横断面図である。
【００１７】
図３は、図２の概略正面図である。
【００１８】
これらの図面に示されているように、本発明は、ＵＳＢメモリ又は、イヤホン、リモートコントローラ、ＴＶなどからの信号のインターフェースするために用いられる入出力デバイスを接続するために提供される、移動体通信端末用の接続モジュール１を提供する。
【００１９】
本発明において、移動体通信端末に接続されているＵＳＢポート又は入出力デバイスが、相互に異なる排他的な接続モジュールを必要とせずに、移動体通信端末に備えられた単一の接続モジュールに選択的に接続することが可能となる。
【００２０】
このために、接続モジュール１は、ケース１０に収容される複数の接続端子部材４０を備えている。こららの複数の接続端子部材４０は、ＵＳＢメモリ又は入出力デバイスがケース１０に挿入されたときに、それぞれがＵＳＢメモリ又は入出力デバイスの接続端子にのみに接続されるように、ケース１０に異なる高さに配置され、また、異なる長さを有する。
【００２１】
ケース１０は、ガイドケース２０および接続端子ケース３０から成るのが、好ましい。ガイドケース２０は、ＵＳＢメモリ又は入出力デバイスがケース１０に挿入されるときにＵＳＢメモリ又は入出力デバイスに形成されたボスを保持するための保持開口２２が一端の近くの位置に形成されている。接続端子ケース３０は、ガイドケース２０の他端からガイドケース２０に挿入されるときに固着構造２５によりガイドケース２０と固着結合される。接続端子ケース３０には、接続端子部材４０が備えられている。
【００２２】
より具体的には、ＵＳＢメモリ又は入出力デバイスの挿入用の入出口を有する、ガイドケース２０は、ＵＳＢメモリ又は入出力デバイスのガイドケース２０への挿入を容易にするために、入出口の外側周辺に沿って外側に広がるガイド部片２１が形成されていることが好ましい。
【００２３】
固着構造２５は、ガイドケース２０に形成された固着部片２５ａおよび固着部片２５ａに対応する位置に接続端子ケース３０に形成された固着凹部２５ｂを有する。接続端子ケース３０が、ガイドケース２０に挿入されて固着されたときに、固着構造２５の固定部片２５ａおよび固着凹部２５ｂは、相互に確実に結合し固着される。
【００２４】
接続端子部材４０は、ＵＳＢメモリの接続端子との接続のためのＵＳＢメモリ接続端子部材４２、および入出力デバイスの接続端子との接続のための入出力デバイス接続端子部材４６を有する。ＵＳＢメモリ接続端子部材４２は、接続端子ケース３０の製作における一般的な挿入射出成型法により接続端子ケース３０に組み込まれる。入出力デバイス接続端子部材４６は、ＵＳＢメモリ接続端子部材４２の下に位置するように、接続端子ケース３０に挿入され固着される。
【００２５】
ＵＳＢメモリ接続端子部材４２は、接続端子ケース３０の上部に配置され、ＵＳＢメモリ接続端子部材４２の前面から後方に向かって挿入される複数のＵＳＢメモリ接続端子４４を有する。各ＵＳＢメモリ接続端子４４は、前端に形成された接続部４４ａおよび後端に形成された結合部４４ｂを備えていることが好ましい。接続部４４ａは、ＵＳＢメモリデバイスの対応する接続端子に接続される開口底面を有する。結合部４４ｂは、接続端子ケース３０の何れかの横側から後方に突出するように、接続部４４ａから横に離れて広げられている。結合部４４ｂは、移動体通信端末に設けられたコントローラの接続のために用いられる。
【００２６】
入出力デバイス接続端子部材４６は、ＵＳＢメモリ接続端子部材４２の下に、接続端子ケース３０に形成された複数の挿入口４５に固着挿入されるように構成された複数の入出力デバイス接続端子４８を有する。入出力デバイス接続端子４８のそれぞれは、保持構造４９によって対応する挿入口４５に固く保持される。各入出力デバイス接続端子４８は、入出力デバイス接続端子４８の前側の端部が入出力デバイスの接続端子とのみ接続されるようにＵＳＢメモリ接続端子４４の対応する端部から離れるように、各ＵＳＢメモリ接続端子４４よりも短いことが好ましい。この場合、入出力デバイス接続端子４８とＵＳＢメモリ接続端子４４との後端部が、移動体通信端末のコントローラとの結合のために、相互に同一線上に配置される。
【００２７】
保持構造４９が、入出力デバイス接続端子に形成された少なくとも一つの保持凸部４９ａ、および保持凸部４９ａに対応する位置に挿入口４５の下面に形成された保持凹部４９ｂを有することが好ましい。この場合、保持凸部４９ａが、入出力デバイス接続端子４８の滑らかな挿入を確実にするために、挿入方向に傾いた複数の保持凸部４９ａであることは、より好ましい。
【００２８】
上記の構成を用いると、ＵＳＢメモリ１００を本発明の接続モジュール１に接続したいとき、図４Ａおよび図４Ｂに示したように、接続端子ケース３０に組み込まれたＵＳＢメモリ接続端子部材４２と接続されるように、ＵＳＢポート１００はガイドケース２０に挿入される。
【００２９】
具体的には、接続端子ケース３０の上部に組み込まれたＵＳＢメモリ接続端子部材４２のＵＳＢメモリ接続端子４４それぞれの接続部４４ａと接続されるように、ＵＳＢメモリ１００の接続端子１０２は、ガイドケース２０の入出口に挿入される。この場合、それがＵＳＢメモリ接続端子部材４２より短いので、ＵＳＢメモリ接続端子部材４２の下に配置されている入出力デバイス接続端子部材４６は、ＵＳＢメモリ１００の接続端子１０２に接続されない。したがって、前端部は、ＵＳＢメモリ１００の接続端子１０２に達しない。
【００３０】
ＵＳＢメモリ１００が、ガイドケース２０および接続モジュール１の接続端子ケース３０に一旦挿入されると、ＵＳＢメモリ１００に形成された保持ボスがガイドケース２０の保持開口２２に挿入されて受け止められるので、ＵＳＢメモリ１００は、接続モジュール１に固着される。
【００３１】
したがって、信号が接続部４４ａに接続されているＵＳＢメモリ１００の接続端子１０２から送られてくる場合、信号は、結合部４４ｂを介して移動体通信端末のコントローラへ送られ、所望のデータ信号の受信／送信を可能にする。
【００３２】
そして、接続モジュール１に接続されたＵＳＢメモリ１００の使用を完了した後にＵＳＢメモリ１００を切り離し、再び入出力デバイス２００を本発明の接続モジュール１に接続したいときに、図５Ａおよび５Ｂに示されているように、接続端子２０２が接続端子ケース３０に設けられた入出力デバイス接続端子部材４６に接続されるように、入出力デバイス２００は、ガイドケース２０の入出口に挿入される。
【００３３】
具体的には、入出力デバイス２００がガイドケース２０の入出口に挿入され、入出力デバイス２００の接続端子２０２は、接続端子ケース３０に設けられた入出力デバイス接続端子部材４６に接続される。入出力デバイス接続端子部材４６は、ＵＳＢメモリ接続端子部材４２の下に配置され、前端部がＵＳＢメモリ接続端子部材４２の前端部から後方に離れるように、ＵＳＢメモリ接続端子部材４２より短い。したがって、入出力デバイス２００の接続端子２０２は、ＵＳＢメモリ接続端子４４と接続されず、入出力デバイス接続端子部材４６の入出力デバイス接続端子４８のみと接続される。
【００３４】
このように、移動体通信端末からのデータ信号は、入出力デバイス２００の接続端子２０２と接続された入出力デバイス接続端子４８を介して、送信される。
上述したように、単一の接続モジュール１に異なる高さに異なる長さを有する複数の接続端子部材を配置した結果、ＵＳＢメモリ１００または入出力デバイス２００は、必要に応じて接続モジュール１に選択的に接続可能となる。
【００３５】
上記説明から明らかなように、本発明は、移動体通信端末に接続されているＵＳＢメモリ又は入出力デバイスが、相互に異なる排他的な接続モジュールを必要とせずに、移動体通信端末に備えられた単一の接続モジュールに選択的に接続することが可能である移動体通信端末用の接続モジュールを提供する。本発明の接続モジュールは、移動体通信端末の非常に狭小な取付けスペースに容易に取り付けることができ、移動体通信端末をより軽薄短小にすることを可能とする。
【００３６】
更に、本発明によれば、接続モジュールの単一のケースを構成するガイドケースおよび接続端子ケースは、容易にそして簡単に相互に結合することができる。その結果、本発明は、迅速なケース組立てだけでなく、ケース間の固着をも達成する効果を有する。
【００３７】
さらに、ＵＳＢメモリまたは入出力デバイスの接続端子が、ガイドケースに挿入されるときに、ＵＳＢメモリまたは入出力デバイスに形成にされた保持ボスがガイドケースの保持開口に挿入され受け止められるので、ＵＳＢメモリまたは入出力デバイスの接続端子は、ケースに固く結合され固着される。これは、入出力デバイスの接続端子が接続モジュールから容易に切り離されるのを防止する効果を有する。
【００３８】
本発明の説明のために上記の好ましい実施例を示したが、当業者は、請求の範囲に開示された本発明の範囲および意図から離れることなく、様々な修正、付加、代替が可能である。
【図面の簡単な説明】
【００３９】
【図１】本発明による移動体通信端末用の接続モジュールの主要部分を示す概略分解斜視図である。
【図２】図２は、図ｌに示された主要部分が組立てられた状態を示す横断面図である。
【図３】図２の概略正面図である。
【図４ａ】本発明による接続モジュールにＵＳＢメモリが結合されている状態を示す横断面図である。
【図４ｂ】本発明による接続モジュールにＵＳＢメモリが結合されている状態を示す断面図である。
【図５ａ】入出力デバイスが本発明による接続モジュールに結合されている状態を示す横断面図である。
【図５ｂ】入出力デバイスが本発明による接続モジュールに結合されている状態を示す断面図である。
【符号の説明】
【００４０】
１    接続モジュール
１０    ケース
２０    ガイドケース
２１    ガイド部片
２２    保持開口
２５    固着構造
２５ａ    固着部片
２５ｂ    固着凹部
３０    接続端子ケース
４０    接続端子部材
４２    ＵＳＢメモリ接続端子部材
４４    ＵＳＢメモリ接続端子
４４ａ    接続部
４４ｂ    結合部
４５    挿入口
４６    入出力デバイス接続端子部材
４８    入出力デバイス接続端子
４９    保持構造
４９ａ    保持構造凸部
４９ｂ    保持構造凹部
１００    ＵＳＢメモリ
１０２    ＵＳＢメモリの接続端子
２００    入出力デバイス
２０２    入出力デバイスの接続端子
【図１】
2008301492.tif 000003
【図２】
2008301492.tif 000004
【図３】
2008301492.tif 000005
【図４ａ】
2008301492.tif 000006
【図４ｂ】
2008301492.tif 000007
【図５ａ】
2008301492.tif 000008
【図５ｂ】
2008301492.tif 000009